(57)【要約】【課題】吊下具の位置及び姿勢を容易に変更可能とするとともに、組立家具における付属部品の位置及び姿勢を容易に設定できる、吊下具、及び、吊下具を備えた組立家具を提供する。【解決手段】吊下具２０は、組立家具１において水平方向に架け渡されたフレーム部材に係止されるフック２１と、フック２１と連結される支持部２２と、鉛直方向に向けた回転軸を中心として支持部２２に対して相対回転可能に支持部２２に支持される被支持部２３と、被支持部２３に連結されて仕切り板３１が固定される吊下部２４と、を備え、支持部２２と被支持部２３とは、相対角度が所定値になるように案内される。【選択図】図２
2020133664.tif 000002
【特許請求の範囲】
【請求項１】
水平方向に架け渡されたフレーム部材に係止される係止部と、前記係止部と連結される支持部と、鉛直方向に向けた回転軸を中心として前記支持部に対して相対回転可能に前記支持部に支持される被支持部と、前記被支持部に連結されて吊下体が固定される吊下部と、を備える吊下具であって、
前記支持部と前記被支持部とは、相対角度が所定値になるように案内される、吊下具。
【請求項２】
前記支持部には、前記被支持部と当接する面に支持カム面が形成され、
前記被支持部には、前記支持部と当接する面に被支持カム面が形成され、
前記被支持部材に対して前記吊下体の荷重が加わった際に、前記支持カム面と前記被支持カム面とが当接することにより、前記支持部と前記被支持部との相対角度が所定値になるように案内される、請求項１に記載の吊下具。
【請求項３】
前記吊下部には、板状に形成された吊下体の縁部が固定され、
前記所定値は９０度ごとに設定される、請求項１又は請求項２に記載の吊下具。
【請求項４】
上端部に前記フレーム部材が設けられ、
前記フレーム部材に、請求項１から請求項３の何れか１項に記載の吊下具が係止される、吊下具を備えた組立家具。
【請求項５】
上端部に棒状部材を直交させて組み合わせた枠体が設けられ、
前記枠体における前記棒状部材の一が前記フレーム部材として構成される、請求項４に記載の吊下具を備えた組立家具。
【請求項６】
前記枠体における中央部に中央棒状部材が設けられ、
前記中央棒状部材が前記フレーム部材として構成される、請求項５に記載の吊下具を備えた組立家具。
【発明の詳細な説明】
【技術分野】
【０００１】
本発明は吊下具、及び、吊下具を備えた組立家具に関し、詳細には組立家具において付属部品の位置及び姿勢を容易に変更可能とする技術に関するものである。
【背景技術】
【０００２】
従来、複数のフレーム部材を連結して構成する組立家具が知られている（例えば、特許文献１を参照）。特許文献１に記載の組立家具の側部には、組立家具の付属部品として板状部材（側壁ＰＴ）が着脱可能に取付けられている。具体的には、組立家具を構成するフレーム部材に溝が形成され、この溝に板状部材を挿入することにより、組立家具に板状部材が取付られている。
【先行技術文献】
【特許文献】
【０００３】
【特許文献１】特開２００３−６１７５９号公報
【発明の概要】
【発明が解決しようとする課題】
【０００４】
しかし、上記の特許文献の如く構成した場合、一旦取付けた板状部材の位置及び姿勢を変更することはできなかった。このように、従来技術に係る組立家具においては、組立家具の付属部品の位置及び姿勢を、組立家具の使用態様に応じて変更することはできなかった。
【０００５】
本発明は以上の如き状況に鑑みてなされたものであり、本発明が解決しようとする課題は、吊下具の位置及び姿勢を容易に変更可能とするとともに、組立家具における付属部品の位置及び姿勢を容易に設定できる、吊下具、及び、吊下具を備えた組立家具を提供することである。
【課題を解決するための手段】
【０００６】
本発明は、上記課題を解決するために、以下に構成する吊下具を提供する。
【０００７】
（１）水平方向に架け渡されたフレーム部材に係止される係止部と、前記係止部と連結される支持部と、鉛直方向に向けた回転軸を中心として前記支持部に対して相対回転可能に前記支持部に支持される被支持部と、前記被支持部に連結されて吊下体が固定される吊下部と、を備える吊下具であって、前記支持部と前記被支持部とは、相対角度が所定値になるように案内される、吊下具。
【０００８】
（２）前記支持部には、前記被支持部と当接する面に支持カム面が形成され、前記被支持部には、前記支持部と当接する面に被支持カム面が形成され、前記支持カム面と前記被支持カム面とが当接することにより、前記支持部と前記被支持部との相対角度が所定値になるように案内される、（１）に記載の吊下具。
【０００９】
（３）前記吊下部には、板状に形成された吊下体の縁部が固定され、前記所定値は９０度ごとに設定される、（１）又は（２）に記載の吊下具。
【００１０】
また、本発明は、上記課題を解決するために、以下に構成する吊下具を備えた組立家具を提供する。
【００１１】
（４）上端部に前記フレーム部材が設けられ、前記フレーム部材に、（１）から（３）の何れか一に記載の吊下具が係止される、吊下具を備えた組立家具。
【００１２】
（５）上端部に棒状部材を直交させて組み合わせた枠体が設けられ、前記枠体における前記棒状部材の一が前記フレーム部材として構成される、（４）に記載の吊下具を備えた組立家具。
【００１３】
（６）前記枠体における中央部に中央棒状部材が設けられ、前記中央棒状部材が前記フレーム部材として構成される、（５）に記載の吊下具を備えた組立家具。
【発明の効果】
【００１４】
以上における本発明に係る吊下具は、以下に示す効果を奏する。
【００１５】
（１）の構成によれば、吊下具において、支持部に対する被支持部の相対角度が所定値に案内されることにより、吊下具の位置及び姿勢を容易に変更可能とするとともに、組立家具における付属部品の位置及び姿勢を容易に設定することが可能となる。
【００１６】
（２）の構成によれば、簡易な構成で、組立家具における付属部品の位置及び姿勢を容易に設定することが可能となる。
【００１７】
（３）の構成によれば、板状の吊下体をフレーム部材に対して９０度ごとに変位させることが可能となる。
【００１８】
以上における本発明に係る吊下具を備えた組立家具は、以下に示す効果を奏する。
【００１９】
（４）の構成によれば、組立家具において、吊下具の位置及び姿勢を容易に変更可能とするとともに、付属部品の位置及び姿勢を容易に設定することが可能となる。
【００２０】
（５）の構成によれば、組立家具の枠体において、直交する棒状部材の何れにも吊下具を介して付属部品を吊下げるとともに、付属部品の位置及び姿勢を容易に設定することが可能となる。
【００２１】
（６）の構成によれば、組立家具において、中央棒状部材に吊下具を介して付属部品を吊下げるとともに、付属部品の位置及び姿勢を容易に設定することが可能となる。
【図面の簡単な説明】
【００２２】
【図１】第一実施形態に係る組立家具を示す斜視図。
【図２】通常状態の吊下具及び吊下体を示す斜視図。
【図３】通常状態の吊下具の拡大斜視図。
【図４】回転状態の吊下具の拡大斜視図。
【図５】（ａ）及び（ｂ）はそれぞれ通常状態及び回転状態の吊下具を示す平面図。
【図６】フック及び支持部の組付構成を示した分解斜視図。
【図７】被支持部の組付構成を示した分解斜視図。
【図８】支持部及び被支持部のカム面を示した図。
【図９】図５（ａ）におけるＸ−Ｘ線断面図。
【図１０】第二実施形態に係る組立家具を示す斜視図。
【図１１】第三実施形態に係る組立家具を示す斜視図。
【図１２】第四実施形態に係る組立家具を示す斜視図。
【発明を実施するための形態】
【００２３】
以下では図１を用いて本発明の第一実施形態に係る組立家具１の概略構成について説明する。本明細書においては、各図中に示す矢印で組立家具１及び組立家具１が備える吊下具２０の方向を規定する。図１に示す如く、組立家具１は金属板を折り曲げて構成した角管部材である、第一フレーム部材１０Ｓ、第二フレーム部材１０Ｌ、及び、第三フレーム部材１０Ｍが、それぞれ連結部材Ｊで連結されることにより外形が規定される。
【００２４】
組立家具１は図１に示す如く、前後方向に沿って平行に設けられる四本の第一フレーム部材１０Ｓと、上下方向に沿って平行に設けられる四本の第二フレーム部材１０Ｌと、組立家具１の上部で左右方向に沿って平行に設けられる二本の第三フレーム部材１０Ｍと、を備える。組立家具１において、第一〜第三フレーム部材１０Ｓ・１０Ｌ・１０Ｍは互いに直交して組付けられている。
【００２５】
より詳細には、組立家具１において、それぞれの第一フレーム部材１０Ｓは連結部材Ｊを介して第二フレーム部材１０Ｌの上端部と下端部とを前後方向に連結している。また、第三フレーム部材１０Ｍは連結部材Ｊを介して第二フレーム部材１０Ｌの上端部を左右方向に連結している。本実施形態においては、第一〜第三フレーム部材１０Ｓ・１０Ｌ・１０Ｍのうち、第一フレーム部材１０Ｓが最も短く、第二フレーム部材１０Ｌが最も長くなるように形成されている。
【００２６】
組立家具１においては、組立家具１の上端部を構成する二本の第一フレーム部材１０Ｓと二本の第三フレーム部材１０Ｍとを直交させて組み合わせることにより、矩形の枠体が構成される。換言すれば、枠体を構成する二本の第一フレーム部材１０Ｓと二本の第三フレーム部材１０Ｍとは、組立家具１の上端部において水平方向に架け渡される。また、組立家具１において、枠体の前後方向中央部分（上側の第一フレーム部材１０Ｓの中央部分）に、中央棒状部材である中間フレーム部材１１を設けることにより、枠体の剛性を向上させている。中間フレーム部材１１は第一〜第三フレーム部材１０Ｓ・１０Ｌ・１０Ｍと同様に、金属板を折り曲げて構成した角管部材である。
【００２７】
本実施形態に係る組立家具１は、机ユニットとして構成される。組立家具１においては、第二フレーム部材１０Ｌに対して、軸心方向を前後方向に向けたビーム部材１２が左右両側に組付けられる。ビーム部材１２は第一〜第三フレーム部材１０Ｓ・１０Ｌ・１０Ｍと同様に、金属板を折り曲げて構成した角管部材である。それぞれのビーム部材１２の中央部分は図示しない支持ビーム部材で連結される。そして、各ビーム部材１２と支持ビーム部材との上面に天板１３が固定されることにより、組立家具１が机ユニットとして構成される。
【００２８】
また、組立家具１における下側で対向する二本の第一フレーム部材１０Ｓの中央部分は中間ビーム部材１４で連結される。そして、中間ビーム部材１４と支持ビーム部材とを補強部材１５で結合することにより、天板１３に加わる荷重を支持する構成としている。
【００２９】
なお、本実施形態に係る組立家具１は天板１３を設けることにより机ユニットとして構成されるが、他の部品を組付けたり配置したりすることにより、組立家具１を使用者の意向に応じてバリエーションに富んだ構成とすることができる。また、同一又は複数の種類の組立家具１を連設したり、直交して配置したりすることにより、使用者が自由に空間をカスタマイズすることができる。
【００３０】
本実施形態において、組立家具１における中間フレーム部材１１には、板状に形成された吊下体である仕切り板３１が吊下具２０を介して組付けられる。本実施形態に係る仕切り板３１は不織布をプレス加工した板状に成形されている。なお、仕切り板３１を木製、スチール製、又は樹脂製等、他の素材を用いて構成することも可能である。但し、仕切り板３１の軽量化及び吸音性能の向上という観点からは、本実施形態の如く不織布板を用いることが好ましい。また、吊下具２０を介して吊下げる吊下体は、板状の仕切り板３１に限定されるものではなく、吊下具２０を用いて照明器具や装飾品等を吊下体として吊下げる構成とすることも可能である。
【００３１】
本実施形態においては図１に示す如く、仕切り板３１の平板部が前後方向に面するように、仕切り板３１が中間フレーム部材１１に沿って吊下げられる。この場合、仕切り板３１は天板１３の前後方向中央部分の上方に、天板１３の長手方向に沿って配置される。この際、天板１３において前後に対向する長辺のそれぞれで組立家具１を使用する使用者がいる場合に、使用スペースを区画するとともに互いの視線を遮ることができる。
【００３２】
図１に示す如く、仕切り板３１は吊下具２０を介して、組立家具１の上端部で枠体に設けられた中間フレーム部材１１に吊下げられる。吊下具２０は図２から図９に示す如く、板金を折り曲げて形成された係止部であるフック２１と、フック２１に連結される樹脂製の支持部２２と、支持部２２に支持される樹脂製の被支持部２３と、被支持部２３に連結される板金製の吊下部２４と、を備える。
【００３３】
図６に示す如く、フック２１は二股に折り曲げて形成されたフック板２１ａを備える。フック２１のフック板２１ａを中間フレーム部材１１に引掛けることにより、吊下具２０が中間フレーム部材１１に係止される。なお、吊下具２０を中間フレーム部材１１に係止する手法は、本実施形態の如くフック部材を引掛ける構成に限定されるものではなく、例えば他の係止部材を介して係止する構成としても良い。
【００３４】
なお、フック２１を係止する部材は中間フレーム部材１１に限定されず、図１１及び図１２に示す如く、組立家具１における枠体を構成する第一フレーム部材１０Ｓ又は第三フレーム部材１０Ｍでフック２１を係止することも可能である。以下、本実施形態に係る連結家具１においてフック２１を係止可能な部材（中間フレーム部材１１、及び、枠体を構成する第一フレーム部材１０Ｓ、第三フレーム部材１０Ｍ）を総称して「フレーム部材」と記載する。本実施形態においては図１２に示す如く、フック２１における二股のフック板２１ａ・２１ａの間に中間フレーム部材１１を配置することにより、第一フレーム部材１０Ｓの中央部分でフック２１を係止するすることができる。
【００３５】
フック２１におけるフック板２１ａの内側の面には、係止されるフレーム部材を傷つけないように軟質の保護部２１ｂが接着されている。図６に示す如く、フック２１の下端部には支持部２２と連結するための支持板２１ｃが水平に折り曲げて形成されている。支持板２１ｃには溝部２１ｄが形成され、また、溝部２１ｄの両側方には貫通孔２１ｅ・２１ｅが開口されている。
【００３６】
フック２１の支持板２１ｃには支持部２２が連結される。支持部２２は、本体部２２ａとカバー部２２ｂとに分割可能とされた樹脂製部材である。本体部２２ａにカバー部２２ｂを組付けた際には、支持部２２の上面には円筒状の凹部であるガイド孔２２ｃが形成される。ガイド孔２２ｃの底面には支持カム面２２ｄが形成される。図８に示す如く、支持カム面２２ｄには、山形状及び谷形状が周方向に交互に（本実施形態においては４５度ごとに）四個ずつ形成される。詳細には、支持カム面２２ｄにおいて山形状と谷形状とは９０度ごとに四個ずつ形成される。本体部２２ａの底面には挿通溝２２ｇが形成されている。
【００３７】
カバー部２２ｂの下面には、二本の係合突起２２ｅが下方に突出して形成される。また、本体部２２ａには二個の係合孔２２ｆが開口される。カバー部２２ｂを本体部２２ａに組付ける際には、フック２１の支持板２１ｃが本体部２２ａの下部に挿入された状態で、係合突起２２ｅを係合孔２２ｆ及び貫通孔２１ｅに挿入する。これにより、カバー部２２ｂが本体部２２ａに組付けられるとともに、支持部２２がフック２１と連結される。
【００３８】
支持部２２のガイド孔２２ｃには、短円柱形状の被支持部２３が挿入される。これにより、被支持部２３は、鉛直方向に向けた回転軸を中心として支持部２２に対して相対回転可能に支持部２２に支持される。被支持部２３は、カム本体２３ａと閉塞部２３ｂとに分割可能とされた樹脂製部材である。
【００３９】
カム本体２３ａには被挿入溝２３ｃが形成される。また、被支持部２３の下面には被支持カム面２３ｄが形成される。図８に示す如く、被支持カム面２３ｄには、支持カム面２２ｄと同様に、山形状及び谷形状が周方向に交互に（本実施形態においては４５度ごとに）四個ずつ形成される。詳細には、被支持カム面２３ｄにおいて山形状と谷形状とは９０度ごとに四個ずつ形成される。被支持部２３がガイド孔２２ｃに挿入された際には、被支持カム面２３ｄは支持カム面２２ｄに当接する。
【００４０】
被支持部２３には、仕切り板３１の上縁部３１ａが固定された吊下部２４が連結される。まず、図６に示す如く、角ボルトＢを吊下部２４の上面に形成された雌ねじ孔２４ａに螺入した状態で溶接する。これにより、角ボルトＢは吊下部２４に対して相対回転不能に固定される。なお、角ボルトＢに代えて四角頭のピンを採用することも可能である。そして、図６に示す如く、角ボルトＢの頭部を支持部２２の挿通溝２２ｇ、及び、支持板２１ｃの溝部２１ｄに挿入する。さらに、図７に示す如く、カバー部２２ｂを本体部２２ａに組付けるとともに、被支持部２３の被挿入溝２３ｃに角ボルトＢの頭部を相対回転不能に挿入し、閉塞部２３ｂをカム本体２３ａに組付ける。これにより、被支持部２３と吊下部２４とが相対回転不能に連結される。即ち、仕切り板３１と被支持部２３とが連結されるのである。
【００４１】
吊下具２０において、支持部２２と被支持部２３とは、相対角度が所定値になるように案内される。具体的には上記の如く、支持部２２には、被支持部２３と当接する面に支持カム面２２ｄが形成され、被支持部２３には、支持部２２と当接する面に被支持カム面２３ｄが形成される。そして、支持カム面２２ｄと被支持カム面２３ｄとが当接した状態で、被支持部２３には仕切り板３１の荷重が加わる。このため、被支持部２３は、被支持カム面２３ｄの山形状と支持カム面２２ｄの谷形状とが一致する位置に回転変位して静止する。本実施形態において、被支持カム面２３ｄの山形状と支持カム面２２ｄの谷形状とは、それぞれ９０度ごとに四個ずつ形成されているため、支持部２２と被支持部２３とは相対角度が所定値である９０度ごとに設定された位置に案内されるのである。
【００４２】
このように、本実施形態に係る吊下具２０においては、支持部２２に対する被支持部２３の相対角度が、０度、９０度、１８０度、２７０度の何れかとなるように設定されている。このため、仕切り板３１をどの位置に回転変位させた場合でも、図５（ａ）に示す如く仕切り板３１はフレーム部材に沿って配置される状態（支持部２２に対する被支持部２３の相対角度が、０度又は１８０度の状態であり、以下、この状態を「通常状態」と記載する）か、図５（ｂ）に示す如く仕切り板３１がフレーム部材に対して直交して配置される状態（支持部２２に対する被支持部２３の相対角度が、９０度又は２７０度の状態であり、以下、この状態を「回転状態」と記載する）の何れかの状態に自動的に変位して静止する。
【００４３】
上記の如く、本実施形態においては支持カム面２２ｄ及び被支持カム面２３ｄの山・谷形状は、それぞれ９０度ごとに形成されているため、仕切り板３１をフレーム部材に対して容易に９０度ごとに変位させることが可能となる。なお、カム面の形状を変更することにより、支持部２２に対する被支持部２３の相対角度を、１８０度、１２０度、又は６０度ごと等、他の所定角度に設定することも可能である。
【００４４】
上記の如く、本実施形態に係る吊下具２０においては、吊下体である仕切り板３１を大まかな角度で変位させるだけで、支持部２２に対する被支持部２３の相対角度が所定値である０度、９０度、１８０度、又は２７０度の何れかに案内される。これにより、吊下具２０の位置及び姿勢を容易に変更可能とするとともに、組立家具１における付属部品である仕切り板３１の位置及び姿勢を容易に設定することが可能となる。
【００４５】
詳細には、組立家具１の使用者が仕切り板３１を通常状態（支持部２２に対する被支持部２３の相対角度が０度の状態）から概ね８０度から１００度程度回転させた場合、仕切り板３１は９０度回転した回転状態（支持部２２に対する被支持部２３の相対角度が９０度又は２７０度の状態）に自動的に案内される。このため、使用者は仕切り板３１について微妙な角度の調整を行う必要がない。同様に、組立家具１の使用者が仕切り板３１を上記の回転状態から上記と同じ回転方向に概ね８０度から１００度程度回転させた場合、仕切り板３１は通常状態（支持部２２に対する被支持部２３の相対角度が１８０度の状態）に案内される。
【００４６】
より具体的には、図１に示す如く仕切り板３１を通常状態にして使用している使用者が、仕切り板３１を回転させて図１０に示す回転状態に容易に変更することができる。この際、フック２１を中間フレーム部材１１に沿って変位させることにより、仕切り板３１を天板１３の左右方向中央部分に移動させることができる。
【００４７】
図１０に示す第二実施形態に係る組立家具１においては、仕切り板３１の平板部が左右方向に面するように、仕切り板３１が中間フレーム部材１１に直交して吊下げられる。この場合、仕切り板３１は天板１３の左右方向中央部分の上方に、天板１３の短手方向に沿って配置される。この際、天板１３において左右に隣接するスペースのそれぞれで組立家具１を使用する使用者がいる場合に、使用スペースを区画するとともに互いの視線を遮ることができる。
【００４８】
上記の如く、吊下具２０を介して仕切り板３１を中間フレーム部材１１に吊下げた場合、仕切り板３１を中間フレーム部材１１に沿った姿勢又は中間フレーム部材１１に直交する姿勢の何れかに案内して組立家具１を使用することができる。即ち、組立家具１に利用態様に応じて、仕切り板３１の姿勢を通常状態と回転状態との何れかに容易に設定することが可能となる。
【００４９】
また、吊下具２０においては、支持部２２に対する被支持部２３の相対角度が所定値に案内されるため、仕切り板３１の使用中に物が当たる等により仕切り板３１が数度〜十数度回転変位した場合でも、使用していた状態に自動的に戻ることができる。このため、組立家具１における吊下体である仕切り板３１が中途半端な角度で停止することによる美感の悪化を防止できる。
【００５０】
また、図１１に示す第三実施形態、又は図１２に示す第四実施形態に係る組立家具１においては、仕切り板３１が枠体を構成する第三フレーム部材１０Ｍ又は第一フレーム部材１０Ｓに沿って吊下げられる。この際、外部空間から組立家具１における使用スペースを区画するとともに、外からの視線を遮ることができる。
【００５１】
なお、本実施形態においては、支持カム面２２ｄと被支持カム面２３ｄとが当接することにより、支持部２２と被支持部２３との相対角度が所定値になるように案内しているが、別の構成で支持部２２と被支持部２３とを案内することもできる。例えば、支持部２２と被支持部２３との当接面において、一方に凸部、他方に凹部を形成し、凹部に凸部が挿入されることにより、相対角度が所定値になるように構成することもできる。ただし、簡易な構成で、組立家具１における付属部品の位置及び姿勢を容易に設定可能とする観点からは、本実施形態の如く支持カム面２２ｄと被支持カム面２３ｄとを当接させる構成が好ましい。
【００５２】
また、本実施形態においては、仕切り板３１の荷重により支持部２２と被支持部２３との相対角度を所定値に案内しているが、吊下体が軽量の場合でも、板ばねを介して支持部２２と被支持部２３とが互いに近接するように付勢することにより、支持部２２と被支持部２３との相対角度を所定値に案内することが可能となる。
【００５３】
また、吊下具２０で吊下体を吊下げる構成ではなく、天板１３の上に支持部及び被支持部を相対回転可能に載置し、支持部と被支持部とが相対角度が所定値になるように案内する構成とすることも可能である。この場合でも、被支持部に固定された組立家具における付属部品の位置及び姿勢を容易に設定することが可能となる。
【符号の説明】
【００５４】
１          組立家具             １０Ｓ        第一フレーム部材   
１０Ｌ        第二フレーム部材     １０Ｍ        第三フレーム部材   
１１          中間フレーム部材     １２          ビーム部材         
１３          天板                 １４          中間ビーム部材     
１５          補強部材             ２０          吊下具             
２１          フック（係止部）     ２１ａ        フック板           
２１ｂ        保護部               ２１ｃ        支持板             
２１ｄ        溝部                 ２１ｅ        貫通孔             
２２          支持部               ２２ａ        本体部             
２２ｂ        カバー部             ２２ｃ        ガイド孔           
２２ｄ        支持カム面           ２２ｅ        係合突起           
２２ｆ        係合孔               ２２ｇ        挿通溝             
２３          被支持部             ２３ａ        カム本体           
２３ｂ        閉塞部               ２３ｃ        被挿入溝           
２３ｄ        被支持カム面         ２４          吊下部             
２４ａ        雌ねじ孔             ３１          仕切り板（吊下体） 
３１ａ        上縁部                 Ｂ          角ボルト           
Ｓ          固定部材               Ｊ          連結部材           
【図１】
2020133664.tif 000003
【図２】
2020133664.tif 000004
【図３】
2020133664.tif 000005
【図４】
2020133664.tif 000006
【図５】
2020133664.tif 000007
【図６】
2020133664.tif 000008
【図７】
2020133664.tif 000009
【図８】
2020133664.tif 000010
【図９】
2020133664.tif 000011
【図１０】
2020133664.tif 000012
【図１１】
2020133664.tif 000013
【図１２】
2020133664.tif 000014